(57)【要約】【課題】各スピーカが電池駆動する音声再生装置の再生時に、電池の充電又は電池交換の要否を検出して告知する。【解決手段】音声再生装置１００は、各々が充電及び／又は着脱自在な電池から供給される電源で駆動する複数のスピーカを有し、入力される再生すべき音声信号に基づいて前記複数のスピーカから音声再生を行う構成であって、制御部２４の制御の下、前記複数のスピーカの各々の電池残量を各スピーカの電池電圧値に基づいて検出し、前記入力される再生すべき音声信号に基づいて複数のスピーカの各々の駆動の有無を判別し、当該判別結果に基づいた駆動しないスピーカについて、検出された電池残量を表示部２５から表示出力又はスピーカ部３から音声出力して告知する。【選択図】図１
2009033616.tif 000002
【特許請求の範囲】
【請求項１】
電池から供給される電源で駆動する複数のスピーカを有し、入力される再生すべき音声信号に基づいて前記複数のスピーカから音声再生を行う音声再生装置であって、
前記複数のスピーカの各々の電池残量を検出する検出手段と、
前記入力される再生すべき音声信号に基づいて前記複数のスピーカの各々の駆動状態を判別する判別手段と、
前記判別手段による判別結果に基づいて非駆動状態にあるスピーカについて、前記検出手段による電池残量を告知する告知手段と、
を備える音声再生装置。
【請求項２】
前記入力される再生すべき音声信号の信号種別を識別する識別手段を更に備え、
前記判別手段は、前記識別手段に基づいた信号種別の切り替え時に判別する請求項１に記載の音声再生装置。
【請求項３】
前記判別手段は、自装置の電源オン時に判別する請求項１又は２に記載の音声再生装置。
【請求項４】
前記告知手段は、自装置の電源オフの際に前記全てのスピーカについて前記検出手段による電池残量を告知する請求項１〜３のいずれか一項に記載の音声再生装置。
【請求項５】
前記告知手段は、前記非駆動状態にあるスピーカについて、前記検出手段による電池残量が予め設定された閾値を下回る場合に、充電及び／又は交換を促す告知を行う請求項１〜４のいずれか一項に記載の音声再生装置。
【請求項６】
表示手段を備え、
前記告知手段は、前記表示手段へ表示出力する請求項１〜５のいずれか一項に記載の音声再生装置。
【請求項７】
前記告知手段は、前記いずれかのスピーカから音声出力する請求項１〜５のいずれか一項に記載の音声再生装置。
【請求項８】
各々が電池から供給される電源で駆動し、当該電池残量を検出する検出手段を有する複数のスピーカを備え、入力される再生すべき音声信号に基づいて前記複数のスピーカから音声再生を行う音声再生装置のコンピュータに、
前記入力される再生すべき音声信号に基づいて前記複数のスピーカの各々の駆動状態を判別する判別手段、
前記判別手段による判別結果に基づいて非駆動状態にあるスピーカについて、前記検出手段による電池残量を告知する告知手段、
として機能させるためのプログラム。
【請求項９】
各々が電池から供給される電源で駆動する複数のスピーカを有し、入力される再生すべき音声信号に基づいて前記複数のスピーカから音声再生を行う音声再生装置の電池残量の告知方法であって、
前記入力される再生すべき音声信号に基づいて前記複数のスピーカの各々の駆動状態を判別し、当該判別結果に基づいて非駆動状態にあるスピーカの電池残量を検出して告知する電池残量の告知方法。
【発明の詳細な説明】
【技術分野】
【０００１】
本発明は、音声再生装置、プログラム及び電池残量の告知方法に関する。
【背景技術】
【０００２】
従来、音源機器から出力される音声信号を無線送信して複数のアンプ内蔵スピーカで再生する音声再生装置がある。この音声再生装置では、スピーカへの配線の取り回しが不要であり、スピーカを自由に設置できる。各スピーカに内蔵されたアンプは電池を電源として駆動される。
【０００３】
例えば、特許文献１には、電池駆動する複数のスピーカを有する音声再生装置に関し、電池交換や充電などを促す表示をする技術が開示されている。
【特許文献１】特開２００５−２１０５０４号公報
【発明の開示】
【発明が解決しようとする課題】
【０００４】
しかしながら、上述した従来技術では、電池残量の少ない電池への充電や電池交換を行うためには音声再生を中断する必要があり、不便であった。
【０００５】
本発明の課題は、上記従来技術の問題に鑑みてなされたものであり、各スピーカが電池駆動する音声再生装置の再生時に、電池の充電又は電池交換の要否を検出して告知するための技術を提供することである。
【課題を解決するための手段】
【０００６】
上記課題を解決するために、請求項１に記載の発明は、電池から供給される電源で駆動する複数のスピーカを有し、入力される再生すべき音声信号に基づいて前記複数のスピーカから音声再生を行う音声再生装置であって、
前記複数のスピーカの各々の電池残量を検出する検出手段と、
前記入力される再生すべき音声信号に基づいて前記複数のスピーカの各々の駆動状態を判別する判別手段と、
前記判別手段による判別結果に基づいて非駆動状態にあるスピーカについて、前記検出手段による電池残量を告知する告知手段と、
を備える。
【０００７】
請求項２に記載の発明は、請求項１に記載の発明において、前記入力される再生すべき音声信号の信号種別を識別する識別手段を更に備え、
前記判別手段は、前記識別手段に基づいた信号種別の切り替え時に判別する。
【０００８】
請求項３に記載の発明は、請求項１又は２に記載の発明において、前記判別手段は、自装置の電源オン時に判別する。
【０００９】
請求項４に記載の発明は、請求項１〜３のいずれか一項に記載の発明において、前記告知手段は、自装置の電源オフの際に前記全てのスピーカについて前記検出手段による電池残量を告知する。
【００１０】
請求項５に記載の発明は、請求項１〜４のいずれか一項に記載の発明において、前記告知手段は、前記非駆動状態にあるスピーカについて、前記検出手段による電池残量が予め設定された閾値を下回る場合に、充電及び／又は交換を促す告知を行う。
【００１１】
請求項６に記載の発明は、請求項１〜５のいずれか一項に記載の発明において、表示手段を備え、
前記告知手段は、前記表示手段へ表示出力する。
【００１２】
請求項７に記載の発明は、請求項１〜５のいずれか一項に記載の発明において、前記告知手段は、前記いずれかのスピーカから音声出力する。
【００１３】
請求項８に記載の発明は、各々が電池から供給される電源で駆動し、当該電池残量を検出する検出手段を有する複数のスピーカを備え、入力される再生すべき音声信号に基づいて前記複数のスピーカから音声再生を行う音声再生装置のコンピュータに、
前記入力される再生すべき音声信号に基づいて前記複数のスピーカの各々の駆動状態を判別する判別手段、
前記判別手段による判別結果に基づいて非駆動状態にあるスピーカについて、前記検出手段による電池残量を告知する告知手段、
として機能させるためのプログラムである。
【００１４】
請求項９に記載の発明は、各々が電池から供給される電源で駆動する複数のスピーカを有し、入力される再生すべき音声信号に基づいて前記複数のスピーカから音声再生を行う音声再生装置の電池残量の告知方法であって、
前記入力される再生すべき音声信号に基づいて前記複数のスピーカの各々の駆動状態を判別し、当該判別結果に基づいて非駆動状態にあるスピーカの電池残量を検出して告知する。
【発明の効果】
【００１５】
本発明によれば、各スピーカが電池駆動する音声再生装置の再生時に、電池の充電又は電池交換の要否を検出して告知することができる。
【発明を実施するための最良の形態】
【００１６】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１７】
本実施の形態に係る音声再生装置について、図１〜図６を参照して説明する。
【００１８】
先ず、音声再生装置の構成について説明する。図１に示すように、音声再生装置１００は、音源機器１、トランスミッタ２、スピーカ部３を有する構成である。音源機器１は、ＣＤ、ＤＶＤ（Digital Versatile Disk）、ＭＤ（MiniDisc）などの記憶媒体から読み出した音声信号や、有線又は無線の送信信号を受信した音声信号などを、ＳＰＤＩＦ（Sony Philips Digital InterFace）などの通信インターフェイスを介したデジタル音声信号としてトランスミッタ２へ出力する。
【００１９】
トランスミッタ２は、デコーダ２１、変復調回路２２、送受信回路２３、制御部２４、表示部２５、記憶部２６、アンテナ２７などを有する構成である。
【００２０】
デコーダ２１は、ＤＳＰ（Digital  Signal  Processor）などによりマルチチャンネルのデコードに対応したデコーダであり、音源機器１から入力されるデジタル音声信号を識別し、当該デジタル音声信号に応じたマルチチャンネルにデコードする。具体的には、フロント（右）、フロント（左）で音声再生する２チャンネルの音声信号、フロント（右）、フロント（左）、センター、リア（右）、リア（左）で再生するサラウンド信号、更にサブウーファーでの再生を含む５．１チャンネルのサラウンド信号等に応じて各チャンネルの信号にデコードする。
【００２１】
変復調回路２２は、送受信回路２３を介して各チャンネルに対応するスピーカへ送信するため、マルチチャンネルにデコードされた音声信号の各々を変調する。また、変復調回路２２は、送受信回路２３で受信された各スピーカからの送信信号を復調する。
【００２２】
送受信回路２３は、制御部２４の制御の下、スピーカ部３との間でアンテナ２７を介した無線通信を行う。具体的には、送受信回路２３は、変復調回路２２により変調された各スピーカの音声信号を当該各スピーカへ送信する。また、送受信回路２３は、制御部２４から各スピーカに対して出力される制御信号を送信し、当該各スピーカからの送信信号を受信する。
【００２３】
制御部２４は、ＣＰＵ（Central  Processing  Unit）、ＲＡＭ（Random  Access  Memory）、ＲＯＭ（Read  Only  Memory）等を有する（いずれも特に図示しない）。制御部２４は、ＣＰＵがＲＡＭの所定領域を作業領域として、ＲＯＭや記憶部２６に予め格納された各種制御プログラムや設定データに基づいた処理を順次実行することで、トランスミッタ２の動作を統括制御する。
【００２４】
表示部２５は、ＬＣＤ（Liquid  Crystal  Display）等の表示画面を備え、制御部２４から出力される制御信号に基づいて表示画面上に各種情報や操作画面を表示する。
【００２５】
記憶部２６は、半導体メモリ等であり、プログラムデータや各種設定データを記憶する。この記憶部２６が記憶する各種設定データとしては、音源機器１から入力される音声信号に対応して動作するスピーカを示す信号種別対応情報などがある。
【００２６】
図２に示すように、信号種別対応情報Ｄ１は、音声信号種別ごとの動作スピーカを示すテーブルデータである。制御部２４は、この信号種別対応情報Ｄ１を参照することで、音源機器１から入力される音声信号に対応して動作するスピーカを判別することができる。具体的には、デジタル２チャンネル信号Ｌ１及びデジタル２チャンネル信号Ｌ２の場合はフロント（左）スピーカ、フロント（右）スピーカが動作し、サラウンド信号Ｌ３の場合はフロント（左）スピーカ、センタースピーカ、フロント（右）スピーカ、リア（左）スピーカ、リア（右）スピーカが動作し、サラウンド５．１チャンネル信号Ｌ４及びサラウンド５．１チャンネル信号Ｌ５の場合はフロント（左）スピーカ、センタースピーカ、フロント（右）スピーカ、リア（左）スピーカ、リア（右）スピーカ、サブウーファーが動作することがわかる。
【００２７】
スピーカ部３は、フロント（左）スピーカ３ａ、センタースピーカ３ｂ、フロント（右）スピーカ３ｃ、リア（左）スピーカ３ｄ、リア（右）スピーカ３ｅ、サブウーファー３ｆなどの複数のスピーカを有する。トランスミッタ２と上述した各スピーカとは無線通信により互いに通信可能に接続される。スピーカ部３は、上述した各スピーカにおいて、トランスミッタ２から無線で送信される音声信号に基づいた音声再生を行うことで、マルチチャンネルの音声再生が可能となっている。
【００２８】
スピーカ部３の各スピーカ（３ａ〜３ｆ）における機能構成は図３に示すとおりである。なお、各スピーカの機能的構成は略同一であるため、以下の説明ではフロント（左）スピーカ３ａを用いて説明し、他のスピーカの説明は省略する。図３に示すように、フロント（左）スピーカ３ａは、制御部３１、電池電源部３２、電池電圧検出部３３、送受信回路３４、アンテナ３５、音声再生部３６を有する構成である。
【００２９】
制御部３１は、制御ＩＣ（Integrated Circuit）などであり、フロント（左）スピーカ３ａの動作を統括制御する。電池電源部３２は、ホルダーなどにより着脱可能に設けられた一次電池又は二次電池（いずれも図示しない）である電池３２ａと、当該電池３２ａから供給される電力を各部へ供給する電源回路３２ｂを有する。即ち、フロント（左）スピーカ３ａは、電池３２ａにより供給される電力で駆動する構成である。
【００３０】
電池電圧検出部３３は、制御部３１の制御の下、電池３２ａの電圧検出を行い、その検出された電圧値を制御部３１に出力する。送受信回路３４は、制御部３１の制御の下、トランスミッタ２との間でアンテナ３５を介した無線通信を行う。具体的には、送受信回路３４は、前述したトランスミッタ２から送信される各スピーカの音声信号を受信する。また、送受信回路３４は、トランスミッタ２から各スピーカに対して送信される制御信号を受信し、制御部３１から出力される信号をトランスミッタ２へ送信する。
【００３１】
音声再生部３６は、送受信回路３４で受信された音声信号を増幅するアンプ３６ａと、永久磁石、ボイスコイル、当該ボイスコイルが接続された振動板などを有する（いずれも特に図示しない）スピーカユニット３６ｂと、を有する。音声再生部３６は、送受信回路３４で受信した音声信号を電池３２ａから供給される電力を用いて増幅して音声再生を行う。
【００３２】
次に、音声再生装置１００の電源オン時に制御部２４が実行する動作処理について説明する。図４に示すように、電源スイッチ（特に図示しない）の押下などにより電源がオンされると（ステップＳ１１）、送受信回路２３により各スピーカの電池電圧値を取得して所定の電圧値と比較することで電池残量を認識する処理が全てのスピーカに対して行われる（ステップＳ１２）。
【００３３】
このステップＳ１２における電池残量の認識とは、各スピーカの電圧値が所定の閾値（電圧値）を下回っているか否かの判定などにより、所定の電池残量があるか否かを認識することである。例えば、所定の閾値として電池の放電終止電圧値よりも若干高めの電圧値を設定することで、しばらくは使用可能程度の電池残量でしかないことを認識することができる。リチウムイン充電池などの二次電池では、満充電が４．２（Ｖ）、放電終止電圧値が２．８（Ｖ）程度であるので、３．２〜３．５（Ｖ）程度を所定の閾値に設定することで、しばらくは使用可能であるが充電時期である電池残量を認識することができる。
【００３４】
ステップＳ１２に次いで、音源機器１から入力される音声信号の種別がデコーダ２１で識別されて、その入力信号の種別判定が完了するまで待機され（ステップＳ１３）、その種別判定された信号種別に基づいて信号種別対応情報Ｄ１が参照されることで使用されないスピーカの有無が判定される（ステップＳ１４）。
【００３５】
ステップＳ１４において、使用されないスピーカがある場合（ＹＥＳ）は、当該使用されないスピーカの中で、電池電圧値が所定の閾値を下回っているスピーカの有無が判定され（ステップＳ１５）、下回っていると判定されたスピーカの電池充電や電池交換などを促す表示が表示部２５に行われる（ステップＳ１６）。
【００３６】
次に、音声再生装置１００の音声再生中に制御部２４が実行する動作処理について説明する。図５に示すように、音声再生中に処理が開始されると、送受信回路２３により各スピーカの最新の電池電圧値を取得して所定の電圧値と比較することで各スピーカの最新の電池残量が認識され（ステップＳ２１）、音源機器１から入力される音声信号の種別がデコーダ２１で識別されて、その入力信号の種別に変化があるまで待機される（ステップＳ２２）。
【００３７】
ステップＳ２２において、入力信号の種別に変化があった場合（ＹＥＳ）、即ち、入力信号が切り替えられた場合は、切り替え後の信号種別に基づいて信号種別対応情報Ｄ１が参照されることで、当該切り替え後に使用されないスピーカの有無が判定される（ステップＳ２３）。
【００３８】
ステップＳ２３において、使用されないスピーカがある場合（ＹＥＳ）は、当該使用されないスピーカの中で、電池電圧値が所定の閾値を下回っているスピーカの有無が判定され（ステップＳ２４）、下回っていると判定されたスピーカの電池充電や電池交換などを促す表示が表示部２５に行われる（ステップＳ２５）。
【００３９】
次に、音声再生装置１００の電源オフ時に制御部２４が実行する動作処理について説明する。図６に示すように、電源スイッチの押下などにより電源がオフにされた場合（ステップＳ３１：ＹＥＳ）、各スピーカの最新の電池電圧値を取得して所定の電圧値と比較することで各スピーカの最新の電池残量が確認され（ステップＳ３２）、すべてのスピーカの中で、電池電圧値が所定の閾値を下回っているスピーカの有無が判定される（ステップＳ３３）。
【００４０】
ステップＳ３３において、電池電圧値が所定の閾値を下回っているスピーカがある場合（ＹＥＳ）は、当該下回っていると判定されたスピーカの電池充電や電池交換などを促す表示が表示部２５に行われ（ステップＳ３４）、一定時間経過するまで又はユーザによる確認キー等（特に図示しない）を介した認識操作があるまで待機される（ステップＳ３５）。
【００４１】
次いで、送受信回路２３による各スピーカへの電源オフ指示の出力や、デコーダ２１、変復調回路２２、送受信回路２３等の各部の停止処理などの他の電源オフ処理が行われて（ステップＳ３６）、終了する。
【００４２】
なお、上述した音声再生装置１００の電源オン時に制御部２４が実行する動作処理、音声再生装置１００の音声再生中に制御部２４が実行する動作処理、音声再生装置１００の電源オフ時に制御部２４が実行する動作処理等で表示部２５からの表示は、使用されないスピーカの中で電池電圧値が所定の閾値を下回っているスピーカに係る表示だけでなく、使用されないスピーカ全ての電池残量を表示してもよい。この場合は、ユーザの判断で使用されないスピーカの電池充電や電池交換を行うことができる。
【００４３】
また、上述した表示部２５から表示は、スピーカ部３のいずれかのスピーカからの音声出力であってもよい。具体的には、記憶部２６に予め記憶された音声データ等に基づいて、スピーカの電池充電や電池交換などを促す音声出力が行われる。この場合は、使用されないスピーカの電池充電や電池交換のタイミングを音声からも確認することができる。
【００４４】
以上のように、音声再生装置１００は、各々が充電及び／又は着脱自在な電池から供給される電源で駆動する複数のスピーカを有し、入力される再生すべき音声信号に基づいて前記複数のスピーカから音声再生を行う構成であって、制御部２４の制御の下、前記複数のスピーカの各々の電池残量を電池電圧検出部３３からの電圧値に基づいて検出し、前記入力される再生すべき音声信号に基づいて信号種別対応情報Ｄ１を参照することで複数のスピーカの各々の駆動の有無を判別し、当該判別結果に基づいた駆動しないスピーカについて、検出された電池残量を表示部２５から表示出力又はスピーカ部３から音声出力して告知する。このため、音声再生装置１００は、駆動しないスピーカの電池残量を確認することができ、当該駆動しないスピーカの電池残量が少ない場合に音声再生を停止することなく、適切に充電又は電池交換を行うことができる。
【００４５】
また、音声再生装置１００は、制御部２４の制御の下、駆動しないスピーカについて、電池残量（電池電圧値）が予め設定された閾値を下回る場合に、充電及び／又は交換を促す告知（表示部２５からの表示出力／スピーカ部３からの音声出力）を行う構成である。このため、音声再生装置１００は、駆動しないスピーカの電池残量が少なくなった場合に、当該スピーカの電池充電及び／又は電池交換を促すことができ、適切に電池交換を行うことができる。
【００４６】
また、音声再生装置１００は、制御部２４の制御の下、音源機器１から入力される再生すべき音声信号の信号種別（デジタル２チャンネル信号Ｌ１、デジタル２チャンネル信号Ｌ２、サラウンド信号Ｌ３、サラウンド５．１チャンネル信号Ｌ４、サラウンド５．１チャンネル信号Ｌ５等）を識別し、当該信号種別の切替時に複数のスピーカの各々の駆動の有無を判別し、当該判別結果に基づいた駆動しないスピーカについて、検出された電池残量を表示部２５から表示出力又はスピーカ部３から音声出力して告知する。このため、音声再生装置１００は、信号種別が切り替わった際に、当該切り替え後の音声信号で駆動しないスピーカの電池残量を確認することができる。
【００４７】
また、音声再生装置１００は、自装置の電源オン時に複数のスピーカの各々の駆動の有無を判別し、当該判別結果に基づいた駆動しないスピーカについて、検出された電池残量を表示部２５から表示出力又はスピーカ部３から音声出力して告知する。このため、音声再生装置１００は、電源投入時に音源機器１から入力される音声信号で駆動しないスピーカの電池残量を確認することができる。
【００４８】
また、音声再生装置１００は、自装置の電源オフ時に全てのスピーカの電池残量を表示部２５から表示出力又はスピーカ部３から音声出力して告知する。このため、音声再生装置１００は、電源オフ時に全てのスピーカの電池残量を確認することができる。
【００４９】
なお、上述した実施の形態における記述は、一例を示すものであり、これに限定するものではない。上述した実施の形態における構成及び動作に関しては、適宜変更が可能である。
【００５０】
例えば、音声再生装置１００の電源オフ時に制御部２４が実行する動作処理において、ステップＳ３４におけるスピーカの電池充電や電池交換などを促す表示は、ステップＳ３５での待機中にのみ表示されてもよいが、電源オフ（待機電源はオン）後にも表示されてもよい。
【図面の簡単な説明】
【００５１】
【図１】本実施の形態に係る音声再生装置の機能的構成を示す概念図である。
【図２】信号種別対応情報の内容を示す概念図である。
【図３】各スピーカの機能的構成を示すブロック図である。
【図４】電源オン時における音声再生装置の動作を示すフローチャートである。
【図５】入力音声信号が変化した場合の音声再生装置の動作を示すフローチャートである。
【図６】電源オフ時における音声再生装置の動作を示すフローチャートである。
【符号の説明】
【００５２】
１００  音声再生装置
１  音源機器
２  トランスミッタ
３  スピーカ部
３ａ  フロント（左）スピーカ
３ｂ  センタースピーカ
３ｃ  フロント（右）スピーカ
３ｄ  リア（左）スピーカ
３ｅ  リア（右）スピーカ
３ｆ  サブウーファー
２１  デコーダ
２２  変復調回路
２３  送受信回路
２４  制御部
２５  表示部
２６  記憶部
２７  アンテナ
３１  制御部
３２  電池電源部
３３  電池電圧検出部
３４  送受信回路
３５  アンテナ
３６  音声再生部
Ｄ１  信号種別対応情報
Ｌ１  デジタル２チャンネル信号
Ｌ２  デジタル２チャンネル信号
Ｌ３  サラウンド信号
Ｌ４  サラウンド５．１チャンネル信号
Ｌ５  サラウンド５．１チャンネル信号
【図１】
2009033616.tif 000003
【図２】
2009033616.tif 000004
【図３】
2009033616.tif 000005
【図４】
2009033616.tif 000006
【図５】
2009033616.tif 000007
【図６】
2009033616.tif 000008